(57)【特許請求の範囲】
【請求項１】
粘稠な液状化粧料をまつ毛及び／又は眉毛に塗布するために用いられる化粧料塗布具であって、
支持軸の先端に、該支持軸の長手方向に延びる塗布部を有し、
該塗布部が基台と該基台の先端域に立設された複数の突起と、該先端域よりも後端側に位置しかつ該基台に凹設された複数の溝及び隣り合う該溝の間に位置する畝部とを備え、
該塗布部をその長手方向に沿って先端域側から見たときに、該畝部のうち最も先端域寄りに位置する畝部は、円形をした平面になっており、
該円形をした平面から、該突起が、該円形の外縁から距離を隔てて該外縁よりも内方の位置において、各突起間に該平面が露出するように立設されている化粧料塗布具。
【請求項２】
前記塗布部における先端域に隣接する領域に位置する溝が、前記支持軸の長手方向に対して６０度以上１６０度以下の角度をなしている請求項１記載の化粧料塗布具。
【請求項３】
前記突起の本数が２〜２０本であり、前記支持軸の長手方向に対して６０度以上１６０度以下の角度をなしている前記溝の本数が５〜１０００本である請求項２記載の化粧料塗布具。
【請求項４】
前記突起の高さと、前記支持軸の長手方向に対して６０度以上１６０度以下の角度をなしている前記溝の高さとの比率（前者：後者）が、１：２０〜１０：１である請求項２又は３に記載の化粧料塗布具。
【請求項５】
前記支持軸の長手方向に対して６０度以上１６０度以下の角度をなしている前記溝が、該基台の略半周面又はそれ以下の領域に設けられている請求項２ないし４の何れかに記載の化粧料塗布具。
【発明の詳細な説明】
【技術分野】
【０００１】
本発明はまつ毛及び／又は眉毛に化粧料を塗布するための化粧料塗布具に関し、特にマスカラ液をまつ毛に塗布するために好適に用いられる化粧料塗布具に関する。
【背景技術】
【０００２】
マスカラブラシとしては、例えばポリアミドなどの熱可塑性樹脂からなる複数のブラシ繊維束を、二条の金属芯線材によって挟持しながら、これらをらせん状に捻回することによって得られる、いわゆるスクリューブラシが知られている。スクリューブラシにおいては、ブラシ繊維束の硬さや形状等についての制約が多く、塗布の対象となる剤の種類によっては使い勝手が良くないという不都合があった。また、ブラシ繊維束からなる毛材の延びる方向が最適になるように制御することは容易でない。スクリューブラシと同様に、植毛ブラシ（例えば特許文献１参照）においても、毛材の延びる方向が最適になるように制御することは容易でない。
【０００３】
スクリューブラシとは別に、樹脂成形によって多数の突起を形成してなる成形ブラシも知られている（例えば特許文献２及び３参照）。しかし、従来の成形ブラシにおける突起はその起立方向が、軸線に対して直交する方向なので、細部への塗布、例えば目頭付近のまつ毛や下まつ毛へのマスカラ液の塗布が容易ではない。また、突起が支持棒の軸線の延びる方向と直交する方向に放射状に設けられているので、目頭付近のまつ毛や下まつ毛へのマスカラ液を塗布しようとするときに、意図せずその他の部分にマスカラ液が付着してしまうことがある。
【０００４】
【特許文献１】特開２００３−３１９８３２号公報
【特許文献２】特開２００５−１２５０２１号公報
【特許文献３】特表２００４−５０２４８１号公報
【発明の開示】
【発明が解決しようとする課題】
【０００５】
従って本発明の目的は、前述した従来技術が有する欠点を解消し得る化粧料塗布具を提供することにある。
【課題を解決するための手段】
【０００６】
本発明は、粘稠な液状化粧料をまつ毛及び／又は眉毛に塗布するために用いられる化粧料塗布具であって、
支持軸の先端に、該支持軸の長手方向に延びる塗布部を有し、
該塗布部が基台と該基台に立設された複数の突起及び／又は該基台に凹設された複数の溝とを備え、
該塗布部における先端域に位置する複数の該突起及び／又は該溝が、該支持軸の長手方向に対して０度以上６０度未満の角度をなしている化粧料塗布具を提供するものである。
【発明の効果】
【０００７】
本発明の化粧料塗布具によれば、塗布部の先端域に形成されている複数の突起及び／又は溝が所定の角度をなしているので、細部への化粧料の塗布を容易に行うことができる。例えば本発明の塗布具を、まつ毛へマスカラ液を塗布するために用いる場合には、目頭及び目尻付近のまつ毛や下まつ毛といった細部へのマスカラ液の塗布を容易に行うことができる。これと共に、塗布量が多かった箇所のマスカラ液のさばきを、細部であっても容易に行うことができる。
【図面の簡単な説明】
【０００８】
【図１】図１（ａ）ないし（ｃ）は、本発明の化粧料塗布具の第１の実施形態における正面図、平面図及び側面図である。
【図２】図２（ａ）及び（ｂ）は、図１に示す実施形態の化粧料塗布具を用いたマスカラ液の塗布の様子を示す模式図である。
【図３】図３は、図１に示す実施形態の化粧料塗布具を用いたマスカラ液の塗布の様子を示す模式図である。
【図４】図４は、本発明の化粧料塗布具の第２の実施形態における正面図である。
【図５】図５は、本発明の化粧料塗布具の第３の実施形態における塗布部を示す斜視図である。
【図６】図６は、本発明の化粧料塗布具の第４の実施形態における塗布部を示す斜視図である。
【図７】図７は、本発明の化粧料塗布具の第５の実施形態における塗布部を示す斜視図である。
【発明を実施するための形態】
【０００９】
以下本発明を、その好ましい実施形態に基づき図面を参照しながら説明する。図１（ａ）ないし（ｃ）には、本発明の化粧料塗布具の一実施形態が示されている。本実施形態の塗布具は、マスカラ液をまつ毛に塗布するために特に好適なものである。本実施形態の塗布具１０は、支持軸１１と、該支持軸の先端に支持された塗布部１２を有している。
【００１０】
塗布部１２はプラスチック材料の成形によって構成されている。塗布部１２は支持軸１１の長手方向に延びる基台１３を有している。図１（ｂ）に示すように、基台１３は平面視して略矩形をしており、長手方向Ｘ及びそれに直交する方向である幅方向Ｙを有している。基台１３における長手方向の先端側の二箇所の隅は角がとられており、やや先細の形状になっている。基台１３の長手方向Ｘの長さは、幅方向Ｙの長さよりも大きくなっている。基台１３の長手方向Ｘの長さＬは１０〜３５ｍｍ、特に１５〜３０ｍｍであることが、マスカラ液を首尾良くまつ毛に塗布し得る点から好ましい。また基台１３の幅方向Ｙの長さＷは１．５〜８ｍｍ、特に２〜７．５ｍｍであることが、十分な量のマスカラ液を塗布部１２に貯留し得る点から好ましい。
【００１１】
図１（ｃ）に示すように基台１３は、上面１３Ａ及びそれと反対側に位置する下面１３Ｂを有する略扁平な形状になっている。同図に示すように上面１３Ａは、幅方向Ｙに関し上向きのアーチ状をなしている。一方、下面１３Ｂは、幅方向Ｙに関し平らになっている。また、基台１３はその長手方向に関しては略真っ直ぐに延びている。これに代えて基台１３はその長手方向に関して、上面１３Ａ側に向けて凸の緩やかなアーチ状をなしていてもよい。また下面１３Ｂは複数の溝や突起があってもよい。
【００１２】
基台１３には多数のコーム状突起１４が立設されている。突起１４は、基台１３の略半周面又はそれ以下の領域に形成されている。具体的には、基台１３の上面１３Ａにのみ突起１４が設けられている。基台１３の下面１３Ｂ及び両側面には突起１４は設けられていない。突起１４は、先端が丸みを帯びてやや細くなっている柱状をしている。突起１４の太さは、直径で表して０．２〜１ｍｍ、特に０．２〜０．６ｍｍであることが、塗布具１０の操作性が良好になる点から好ましい。突起１４の形状は、先細であることが綺麗な仕上がりを得る点から好ましい。突起１４の太さが長さ方向で一様でない場合には、前記の直径は、最も太い部分での値を言う。
【００１３】
塗布部１２がプラスチック材料の成形で構成されていることは既に上述したものであるところ、基台１３と突起１４は一体成形によって形成されていてもよく、或いはそうでなくてもよい。特に、突起１４をプラスチック成形することで、突起の形状やその延びる方向を最適なものとすることができるので、後述するマスカラ液のまつ毛への塗布を容易に行うことが可能となる。
【００１４】
突起１４は、大別して第１の突起群１４Ａと、第２の突起群１４Ｂとから構成されている。第１の突起群１４Ａは、塗布部１２の先端域に位置している。第２の突起群１４Ｂは、第１の突起群１４Ａの存在位置に隣接して、それよりも後端側に位置している。具体的には、第２の突起群１４Ｂは塗布部１２の中央域から後端域にわたる領域に位置している。第１の突起群１４Ａと第２の突起群１４Ｂとは、以下に述べる通り突起１４の角度の違いによって区別される。
【００１５】
第１の突起群１４Ａを構成するすべてのコーム状突起１４は、基台１３の先端面に立設され、支持軸１１の長手方向に対して０度の角度をなしている。このようにコーム状突起１４を配置することで、該突起１４の間隔を、第２の突起群１４Ｂを構成する突起１４の間隔と同等又はそれ以下に調整することが容易となる。このことは、マスカラ液の塗布量や、まつ毛のさばき具合の調整が容易となる点で好ましい。一方、第２の突起群１４Ｂを構成するコーム状突起１４は、基台１３の上面に立設され、支持軸１１の長手方向に対して好ましくは６０度以上１６０度以下、更に好ましくは７０度以上１１０度以下、一層好ましくは８０度以上１００度以下の角度をなしている。ここで、支持軸１１の長手方向に対して突起１４のなす角度とは、支持軸１１を横からみて、該支持軸１１をその軸周りに回転させたときに、塗布具１０の先端に向かう方向と突起１４の延びる方向とのなす角度のうちの最大の角度をいう。
【００１６】
以上の通り、第１の突起群１４Ａを構成する突起１４は支持軸１１の長手方向に対してなす角度が小さい。これに対して第２の突起群１４Ｂを構成する突起１４は、支持軸１１の長手方向に対してなす角度が、第１の突起群１４Ａを構成する突起１４よりも大きくなっている。このように突起１４の角度を異ならせた理由は、マスカラ液の塗布の仕方及びマスカラ液の塗布の対象となるまつ毛の部位が、第１の突起群１４Ａと第２の突起群１４Ｂとで相違するからである。
【００１７】
詳細には、第１の突起群１４Ａは、細かい部分、例えば目頭付近及び目尻付近のまつ毛の部分やまつ毛の本数の少ない部分、例えば下まつ毛の部分にマスカラ液を塗布するのに適している。一方、第２の突起群１４Ｂは、広い部分やまつ毛の本数の多い部分、例えば上まつ毛にマスカラ液を塗布するのに適している。
【００１８】
図２（ａ）には、第１の突起群１４Ａを用いた目頭付近のまつ毛へのマスカラ液の塗布の様子が示されている。目頭付近のまつ毛へマスカラ液を塗布する場合には、塗布部１２が上側に位置するように塗布具１０を縦にして、即ち、支持軸１１の長手方向を鉛直方向にほぼ一致させて、第１の突起群１４Ａを上端に位置させる。第１の突起群１４Ａにおける突起１４間にはマスカラ液が貯留されている。この状態下に、同図に示すように塗布具１０を上下方向に小刻みに動かして目頭付近のまつ毛へマスカラ液を塗布する。第１の突起群１４Ａを構成する突起１４は、上述した通りの角度を有して基台１３上に立設されているので、塗布に細かい操作が必要とされる目頭付近のまつ毛へのマスカラ液の塗布を首尾良く行うことができる。なお図示されていないが、目尻付近のまつ毛へのマスカラ液の塗布の仕方も図２（ａ）とほぼ同様である。
【００１９】
本実施形態の塗布具１０においては、先に述べた通り基台１３の上面１３Ａにのみ突起１４が設けられている。このことに起因して、塗布具１０を図２（ａ）に示す状態で用いた場合、基台１３の全周に突起がある場合と比較して第２の突起群１４Ｂが使用者の肌に接触しづらくなるので、塗布の対象とする部位である目頭及び目尻付近のまつ毛以外の位置に誤ってマスカラ液が塗布されることが防止され、且つよりまつ毛の根元まで塗布具を近づけることが可能となり、使用性に優れる。このことは、以下に述べる図２（ｂ）に示す使用状態の場合も同様である。
【００２０】
図２（ｂ）には、第１の突起群１４Ａを用いた下まつ毛へのマスカラ液の塗布の様子が示されている。下まつ毛へマスカラ液を塗布する場合には、図２（ａ）に示す場合と同様に、塗布部１２が上側に位置するように塗布具１０を縦にして、第１の突起群１４Ａを上端に位置させる。第１の突起群１４Ａにおける突起１４間にはマスカラ液が貯留されている。この状態下に、同図に示すように塗布具１０を左右方向に小刻みに動かして下まつ毛へマスカラ液を塗布する。このような操作を行うことで、まつ毛の本数の少ない部分である下まつ毛にマスカラ液を首尾良く塗布することができる。
【００２１】
一方、まつ毛の本数の多い部分である上まつ毛にマスカラ液を塗布するには、図３に示す操作を行う。即ち、塗布具１０を横にして、即ち、支持軸１１の長手方向を水平方向にほぼ一致させて、且つ塗布部１２における第２の突起群１４Ｂを上向きに位置させる。第２の突起群１４Ｂにおける突起１４間にはマスカラ液が貯留されている。この状態下に塗布具１０を下から上に向けて動かす操作を１回又は２回以上繰り返して、上まつ毛にマスカラ液を塗布する。
【００２２】
以上の通り、本実施形態の塗布具１０によれば、これ一つを用いるだけでまつ毛のあらゆる部分、即ち上まつ毛及び下まつ毛並びに目頭及び目尻付近のまつ毛にマスカラ液を首尾良く塗布することが可能となる。特に、後述する粘度を有するマスカラ液（化粧料）と組み合わせることで、細部に該マスカラ液を首尾よく塗布することができる。この種の従来の塗布具は、本実施形態の塗布具１０における第２の突起群１４Ｂに相当する突起しか備えていなかったので、下まつ毛並びに目頭及び目尻付近のまつ毛にマスカラ液を塗布することが容易ではなかった。特に右手で左目頭を塗布する場合や左手で右目頭を塗布する場合には非常に困難であった。また、第２の突起群１４Ｂに相当する突起しか備えていない塗布具では、目頭付近のまつ毛や下まつ毛へのマスカラ液を塗布しようとするときに、意図せずその他の部分にマスカラ液が付着してしまうことがあった。
【００２３】
第２の突起群１４Ｂにおいては、これを構成する各突起１４は、支持軸１１の長手方向に対して種々の角度をなしていてもよいが、好ましくは図１（ａ）ないし（ｃ）に示すように支持軸１１の長手方向に対してすべて同じ角度をなしている。
【００２４】
第１の突起群１４Ａを構成する突起１４の本数は２〜２０本、好ましくは２〜１５本、より好ましくは２〜１０本であることが、細かい部分へのマスカラ液の塗布の操作性を向上させ得る観点から好ましい。一方、第２の突起群１４Ｂを構成する突起１４の本数は５〜１０００本、特に１５〜５００本であることが、突起間におけるマスカラ液の貯留量が多くなり、まつ毛の本数の多い部分に多量のマスカラ液を一度に塗布し得る点から好ましい。
【００２５】
突起間におけるマスカラ液の貯留量は、基台１３の上面１３Ａにおける隣り合う突起間の距離にも関係している。第１の突起群１４Ａ及び第２の突起群１４Ｂの何れにおいても隣り合う突起間の距離は、塗布部１２の長手方向Ｘ及び幅方向Ｙの何れにおいても０．２〜２ｍｍ、特に０．３〜１ｍｍであることが好ましい。隣り合う突起１４どうしの間隔は、塗布部１２の長手方向Ｘ及び幅方向Ｙにおいて同じであってもよく、或いは異なっていてもよい。
【００２６】
第１の突起群１４Ａを構成する各突起１４は、その長さがそれぞれ同じであってもよく、或いは異なっていてもよい。同様に、第２の突起群１４Ｂを構成する各突起１４も、その長さがそれぞれ同じであってもよく、或いは異なっていてもよい。更に、第１の突起群１４Ａを構成する突起１４の長さと、第２の突起群１４Ｂを構成する突起１４の長さは、同じであってもよく、或いは異なっていてもよい。例えば、第１の突起群１４Ａを構成する突起１４の長さと第２の突起群１４Ｂを構成する突起１４の長さとの比率（前者：後者）は、１：２０〜１０：１、特に１：１０〜２：１とすることができる。各群を構成する突起１４の長さの比率をこのようにすることで、広い部分への使用性を損なわずに細かな部分への塗布性を確保することができるので好ましい。なお、第１の突起群１４Ａを構成する突起１４の長さが一定でない場合には、その平均値をもって第１の突起群１４Ａを構成する突起１４の長さと定義する。第２の突起群１４Ｂについても同様である。
【００２７】
第１の突起群１４Ａを構成する突起１４の長さそのものは、０．５〜１０ｍｍ、特に１〜６ｍｍであることが好ましい。一方、第２の突起群１４Ｂを構成する突起１４の長さそのものは、０．５〜１０ｍｍ、特に１〜６ｍｍであることが好ましい。
【００２８】
本実施形態の塗布具１０は、塗布部１２を含め、プラスチック材料の成形によって形成されているのが好ましい。プラスチック材料としては溶融成形可能な材料を特に制限なく用いることができる。例えばポリエチレンテレフタレートなどのポリエステル、ポリプロピレンなどのポリオレフィン、ＡＢＳ樹脂、ポリアセタール等を用いることができる。また、ポリエステルエラストマーやポリウレタンエラストマーなどの熱可塑性エラストマーを用いることもできる。
【００２９】
本実施形態の塗布具１０は、粘稠な液状化粧料、例えば２５℃における粘度が好ましくは１０００００ｍＰａ・ｓ以上２００００００ｍＰａ・ｓ以下、更に好ましくは１５００００ｍＰａ・ｓ以上１００００００ｍＰａ・ｓ以下の化粧料の塗布に用いられる。この範囲の粘度を有する化粧料と塗布具１０を組み合わせて用いることで、細部への塗布、例えば目頭付近のまつ毛や下まつ毛へのマスカラ液の塗布を首尾良く行うことができる。化粧料の粘度が１０００００ｍＰａ・ｓ未満の場合、下まつ毛等の細部へ綺麗に塗布できたとしても、粘度が低いことに起因して、乾燥前に他のまつ毛や瞼等に化粧料が付着してしまい仕上がりが低下してしまう。粘度が２００００００ｍＰａ・ｓを超える場合、粘度が高すぎることに起因して、下まつ毛等の細く柔らかい毛への付着性が著しく低下し綺麗な仕上がりが得られない。粘度は、２５℃環境下で２時間以上静置後、同温度にてＢ８Ｒ型粘度計を用いることで測定することができる。
【００３０】
化粧料の粘度を前記の範囲内とするためには、該化粧料をマスカラ液として使用する場合には、ワックスを分散物として配合することが好ましい。ワックスを配合することで、カール力やボリュームが発現するという利点もある。
【００３１】
ワックスは、好ましくは４０℃以上、より好ましくは６０〜１１０℃の融点を有するもので、通常化粧料に用いられるものであれば特に制限されない。例えば動物性ワックス、植物性ワックス、鉱物性ワックス、合成ワックス等を用いることができる。具体的には、コメヌカロウ、カルナウバロウ、キャンデリラロウ、ミツロウ、セレシン、パラフィンワックス、マイクロクリスタリンワックス、ポリエチレンワックス、シリコーンワックス等が挙げられる。これらのうち、融点５０〜１１０℃のパラフィンワックス、マイクロクリスタリンワックスが、高温保存安定性及び作業性の点から好ましい。また、作業性及び皮膜の柔軟性付与の点からはミツロウが好ましい。滑らかな使用感の点からはコメヌカロウが好ましい。市販品としては、日本精鑞社製のＨＮＰ−０１９０、三木化学工業社製のゴールデンブランド、セラリカＮＯＤＡ社製のライスワックスＦ−１等を使用することができる。
【００３２】
ワックスは、１種以上を用いることができ、化粧料中に２〜５０質量％、特に１０〜４０質量％含有されることが、化粧料の粘度を容易に前記の範囲内とし得る点や、カール力やボリュームを発現させ得る点から好ましい。
【００３３】
粘度を前記の範囲内とする観点からは、化粧料は、水系又は油系のどちらでもよい。配合する成分としては、ワックス以外にも、その剤系に合わせて化粧料に通常用いられる増粘剤、皮膜剤、粉体、着色剤、繊維、防腐剤、エキス等を含有することができる。
【００３４】
次に、本発明の第２ないし第５の実施形態について図４ないし図７を参照しながら説明する。これらの実施形態については、第１の実施形態と異なる点についてのみ説明し、特に説明しない点については、第１の実施形態に関して詳述した説明が適宜適用される。また、図４ないし図７において、図１ないし図３と同じ部材に同じ符号を付してある。
【００３５】
図４に示す第２の実施形態の塗布具１０は、第２の突起群１４Ｂに関しては、第１の実施形態と塗布具と同様である。第１の突起群１４Ａに関しては、該突起群１４Ａを構成する突起１４は、支持軸１１の長手方向に対して０度以上６０度未満の角度をなしている。コーム状突起１４は、この角度の範囲内において、連続的に変化する種々の角度又は不連続に変化する種々の角度をとり得る。種々の角度をとることは方向性を問わずに使用可能となる点で好ましい。
【００３６】
細かい部分へマスカラ液を塗布することを一層容易にする観点から、第１の突起群１４Ａを構成する突起１４は、上述の角度の範囲内で種々の角度をなしていることが好ましい。例えば第１の突起群１４Ａは、支持軸１１の長手方向に対して０度以上２０度未満の角度を有する突起１４と、２０度以上４０未満の角度を有する突起１４と、４０度以上６０度未満の角度を有する突起１４とを含むことが好ましい。この場合、塗布部１２の先端に向かうに連れ、支持軸１１の長手方向に対する突起１４のなす角度が漸次小さくなるように突起１４が配置されていることが、操作性の向上の観点から好ましい。
【００３７】
図５に示す第３の実施形態の塗布具における塗布部１２は、平板状の基台１３を備えている。基台１３の先端域からは、複数の突起１４からなる第１の突起群１４Ａが突設されている。第１の突起群１４Ａを構成するすべての突起１４は、支持軸（図示せず）の長手方向に対して０度の角度をなしている。一方、基台１３の上下面のうち、上面１３Ａには複数の突起１４からなる第２の突起群１４Ｂが立設されている。第２の突起群１４Ｂを構成するすべての突起１４は、支持軸（図示せず）の長手方向に対して９０度の角度をなしている。
【００３８】
図６に示す第４の実施形態の塗布具における塗布部１２は、円柱状の基台１３を備えている。基台１３の先端域には、複数の突起１４からなる第１の突起群１４Ａが突設されている。第１の突起群１４を構成するすべての突起１４は、支持軸（図示せず）の長手方向に対して０度の角度をなしている。
【００３９】
一方、基台１３の側面には、該基台１３の周方向に沿って複数の溝１５が凹設されている。この溝１５内が、マスカラ液の貯留部になる。また溝１５がまつ毛をさばく働きをする。溝１５は、基台１３の全周にわたって形成されている。各溝１５どうしは互いに平行になっている。隣り合う溝１５の間隔は一定になっている。基台１３の周方向に沿ってみたとき、溝１５の断面は逆三角形状になっている。尤も、断面の形状はこれに限られず、例えば矩形や、下に凸の半円形でもよい。溝１５は、支持軸（図示せず）の長手方向に対して９０度の角度をなしている。
【００４０】
隣り合う溝１５の間は畝部１６になっている。畝部１６は、基台１３の全周にわたって形成されている。各畝部１６どうしは互いに平行になっている。隣り合う畝部１６の間隔は一定になっている。基台１３の周方向に沿ってみたとき、畝部１６の断面は三角形状になっている。尤も、断面の形状はこれに限られず、例えば頂点が丸みを帯びた三角形や、台形、矩形、上に凸の半円形でもよい。
【００４１】
図７に示す第５の実施形態の塗布具における塗布部１２は、先端域の形状が第４の実施形態と異なる以外は、第４の実施形態と同様に構成されている。本実施形態における塗布部１２の先端域は、円柱状の基台１３の先端に複数条の直線状の溝１７が凹設されて構成されている。この溝１７内が、マスカラ液の貯留部になる。また溝１７がまつ毛をさばく働きをする。溝１７は、支持軸（図示せず）の長手方向に対して０度の角度をなしている。各溝１７どうしは互いに平行になっている。隣り合う溝１７の間隔は一定になっている。溝１７の延びる方向に沿ってみたとき、溝１７の断面は逆三角形状になっている。尤も、断面の形状はこれに限られず、例えば矩形や、下に凸の半円形でもよい。
【００４２】
隣り合う溝１７の間は畝部１８になっている。各畝部１８どうしは互いに平行になっている。隣り合う畝部１８の間隔は一定になっている。畝部１８の延びる方向に沿ってみたとき、畝部１８の断面は三角形状になっている。尤も、断面の形状はこれに限られず、例えば頂点が丸みを帯びた三角形や、台形、矩形、上に凸の半円形でもよい。
【００４３】
以上、本発明をその好ましい実施形態に基づき説明したが、本発明は前記実施形態に制限されない。例えば前記の各実施形態の塗布具１０は、マスカラ液をまつ毛に塗布するために好適に用いられるマスカラ塗布具に係るものであったが、本発明の塗布具をそれ以外の化粧料の塗布に適用することもできる。例えばまつ毛と同様にケラチン質繊維組織である眉毛に、染毛剤を始めとする各種化粧料を塗布するために、本発明の化粧料塗布具を用いることができる。
【００４４】
また、第１及び第２の実施形態の塗布具１０は、塗布部１２が第１の突起群１４Ａと第２の突起群１４Ｂとを有していたが、これに代えて第２の突起群１４Ｂは設けずに、第１の突起群１４Ａのみを設けてもよい。
【００４５】
また、第１及び第２の実施形態の塗布具１０においては、第１の突起群１４Ａ及び第２の突起群１４Ｂを構成する突起は何れもプラスチック材料の成形によって形成されたものであったが、これに代えて、第１の突起群１４Ａをプラスチックの成形によって形成された突起で構成するとともに、第２の突起群をブラシ繊維束からなる毛材によって構成してもよい。そのような毛材からなる突起は、従来のスクリューブラシと同様に、熱可塑性樹脂からなる複数のブラシ繊維束を、二条の金属芯線材によって挟持しながら、これらをらせん状に捻回することによって形成することができる。或いは、基台にブラシ繊維束を植毛することによって形成することができる。
【００４６】
また、第１及び第２の実施形態の塗布具１０において、塗布部１２の先端域に、第１の突起群１４Ａに加えて、第５の実施形態に示す溝１７を設けてもよい。更に、塗布部１２の先端域よりも後端寄りの領域に、第２の突起群１４Ｂに加えて、第４及び第５の実施形態に示す溝１５を設けてもよい。
【００４７】
また、第４及び第５の実施形態の塗布具において、塗布部１２の先端域よりも後端寄りの領域に、溝１５に加えて、第１及び第２の実施形態に示す第２の突起群１４Ｂを更に設けてもよい。
【００４８】
また、第５の実施形態の塗布具において、塗布部１２の先端域に、溝１７に加えて、第１及び第２の実施形態に示す第１の突起群１４Ａを更に設けてもよい。
【符号の説明】
【００４９】
１０  化粧料塗布具
１１  支持軸
１２  塗布部
１３  基台
１３Ａ  上面
１３Ｂ  下面
１４  突起
１４Ａ  第１の突起群
１４Ｂ  第２の突起群
【図１】
0005389225.tif 000002
【図２】
0005389225.tif 000003
【図３】
0005389225.tif 000004
【図４】
0005389225.tif 000005
【図５】
0005389225.tif 000006
【図６】
0005389225.tif 000007
【図７】
0005389225.tif 000008